(57)【特許請求の範囲】
【請求項１】
ターンテーブルに搭載されたディスク状記録媒体の記録面にレーザ光を照射して情報の記録又は再生を行う光ピックアップが組み付けられた第１シャーシと、ディスク状記録媒体を載置するターンテーブルが組み付けられた第２シャーシとが、所定の間隔を維持しつつチルト調整可能に対向配置されてなる光ディスクドライブ装置であって、
前記第１シャーシは、中央に開口部を有する略矩形状の枠体で構成され、一方の長辺の異なる２箇所にはフック状係止片が形成されるとともに他方の長辺の１箇所にネジ挿通孔が形成されており、
前記第２シャーシは、中央に開口部を有する略矩形状の枠体で構成され、略コ字状の板状部材でディスク状記録媒体を載置するターンテーブルを保持可能に構成されたターンテーブル保持部材が当該第２シャーシの枠体に沿って固定され、
前記第２シャーシに、傾斜した主面を有する回転体と、この回転体を回転駆動する駆動モータとで構成されて、駆動モータの回転軸と回転体との間に回転伝達手段が配置されたチルト角調整装置が配設され、
前記第１シャーシの他方の長辺の他の１箇所に、前記回転体の主面に当接する突起部が形成され、
前記ターンテーブル保持部材は、対向する一対の辺の一方の２箇所に前記フック状係止片に係合可能な係合部が形成されるとともに他方の辺の１箇所に前記ネジ挿通孔に挿通された係合ネジと螺合可能なネジ孔が形成されており、
前記２箇所の係合部に前記２箇所のフック状係止片が個別に係合され、前記ネジ挿通孔を通して前記ネジ孔に前記係合ネジが螺合されていて、
前記回転体の回転により、前記主面に当接している前記突起部と共に前記第１シャーシの他方の長辺が、前記係合部と前記フック状係止片との係合箇所を支点としてディスク側に寄るように形成されていて、前記第１シャーシの他方の長辺の最もディスク側に寄る位置が前記係合ネジのネジ頭により規制されて前記第１シャーシの傾きが調節されるように構成されていることを特徴とする光ディスクドライブ装置。
【発明の詳細な説明】
【技術分野】
【０００１】
本発明は、光ディスクに記録された情報の再生及び光ディスクへの情報の記録を行う光ディスクドライブ装置に関する。
【背景技術】
【０００２】
従来、光ディスクドライブ装置は、シャーシに光ディスクを載置するターンテーブルや光ピックアップ等の各種部品が組み付けられて構成され、光ピックアップによりレーザ光を光ディスクの記録面に照射することで光ディスクに情報を記録したり、光ディスクの記録面に照射されたレーザ光の反射光を読み取ることで光ディスクに記録された情報を再生したりできる。
【０００３】
この光ピックアップは、光ディスクに対する情報の記録又は光ディスクからの情報の再生を正確に行うために、レーザ光が光ディスクの記録面に対して適切な角度（記録面に対して垂直）で照射されるようにチルト角を調整される。例えば、特許文献１，２では、小型化、軽量化が可能で、高い精度でチルト調整することができるチルト角調整手段を備えた光ピックアップが提案されている。
【０００４】
また、光ピックアップ自体にチルト角調整手段を設けるのではなく、光ディスクを載置するターンテーブルを組み付けた第１シャーシと、光ピックアップを組み付けた第２シャーシと、を対向配置して、２枚のシャーシのチルトを調節することで、光ピックアップのチルト角を適切に調整するようにした光ディスクドライブ装置もある。
【０００５】
図６は、２枚のシャーシを利用した従来の光ディスクドライブ装置の分解斜視図である。図６に示す光ディスクドライブ装置は、光ピックアップ４０を組み付けられた上側シャーシ１０と、ターンテーブル保持部材３０を介してスピンドルモータ５０を固定された下側シャーシ２０と、が対向配置されて構成される。
【０００６】
具体的には、上側シャーシ１０は、中央に開口部１４を有する金属製の板状部材からなり、種々の構成部品を組み付けるための複数の穴が所定の位置に設けられている。この上側シャーシ１０には、開口部１４の周縁四隅に、２本のガイドシャフト４３，４４を平行に支持するための支持部１５、１６が形成されている。また、上側シャーシ１０の支持部１５を形成されている側の長辺の略中央にはフック状係止片１１が形成され、他方の長辺には該長辺をほぼ３分割する位置にフック状係止片１２，１３が形成されている。これらの支持部１５，１６及び係止片１１，１２，１３は、アウトサート成形により金属製の上側シャーシ１０の所定の位置に樹脂を付着固定させて一体的に成形される。さらに、上側シャーシ１０のフック状係止片１２，１３が形成された長辺の下面には、光ピックアップ４０を光ディスクの径方向に移動させるための光ピックアップ駆動装置７０が配設されている。
【０００７】
光ピックアップ４０は、その両端に２本のガイドシャフト４３，４４を挿通され、このガイドシャフト４３，４４の両端が上側シャーシ１０に形成された支持部１５，１６にネジによって固定されている。
【０００８】
下側シャーシ２０は、中央に開口部２２を有する金属製の板状部材からなり、プレス加工によってその一部が折り返され、光ディスクドライブ装置の筐体（図示略）に固定される組み付け部２１が四隅に形成されている。また、種々の構成部品を組み付けるための複数の穴が所定の位置に設けられている。さらに、下側シャーシ２０の所定の位置にチルト角調整装置６０が配設される。
【０００９】
ターンテーブル保持部材３０は、樹脂製で略コ字状の板状部材からなり、光ディスクを載置するターンテーブル（図示略）を駆動するスピンドルモータ５０を保持する。ターンテーブル保持部材３０の対向する一対の辺の上側シャーシ１０に形成されたフック状係止片１１，１２，１３と対応する位置には、フック状係止片１１，１２，１３と係合可能なゲート状係合部３１，３２，３３が形成されている。このターンテーブル保持部材３０は、例えば５箇所で上方よりネジを通して下側シャーシ２０に固定される。そして、スピンドルモータ５０は、下側シャーシ２０に固定されたターンテーブル保持部材３０を介して、下側シャーシ２０の下方よりネジで固定される。
【００１０】
そして、光ピックアップ４０を組み付けられた上側シャーシ１０と、ターンテーブル保持部材３０を介してスピンドルモータ５０を固定された下側シャーシ２０とが対向配置され、３つのフック状係止片１１，１２，１３により所定の間隔を維持した状態で係合される。具体的には、上側シャーシ１０に形成された２つのフック状係止片１２，１３をターンテーブル保持部材３０のゲート状係合部３２，３３に係合させてから、残りのフック状係止片１１を対応するゲート状係合部３１に上方より押圧してはめ込む。
【特許文献１】特開平１０−４９８８３号公報
【特許文献２】特開２０００−９９９５４号公報
【発明の開示】
【発明が解決しようとする課題】
【００１１】
上述したように、図６に示す光ディスクドライブ装置においては、フック状係止片１１、１２，１３を対応するゲート状係合部３１、３２，３３に係合させることにより、上側シャーシ１０と下側シャーシ２０を対向配置する。しかしながら、フック状係止片１１と対応するゲート状係合部３１は耐衝撃性を考慮して強度の高い樹脂材料で形成されているため、はめ込むには比較的大きな力でフック状係止片１１及びターンテーブル保持部材３０を撓ませる必要があり作業性が悪い上、力を加えすぎてフック状係止片１１が破損するおそれがあった。
【００１２】
本発明は、光ピックアップから照射されるレーザ光の光軸を対向する一対のシャーシにより調整可能な光ディスクドライブ装置であって、組み立て工程における作業性を格段に向上できる光ディスクドライブ装置を提供することを目的とする。
【課題を解決するための手段】
【００１３】
本発明は、上記課題を解決するためになされたものであり、ターンテーブルに搭載されたディスク状記録媒体の記録面にレーザ光を照射して情報の記録又は再生を行う光ピックアップが組み付けられた第１シャーシと、ディスク状記録媒体を載置するターンテーブルが組み付けられた第２シャーシとが、所定の間隔を維持しつつチルト調整可能に対向配置されてなる光ディスクドライブ装置であって、前記第１シャーシは、中央に開口部を有する略矩形状の枠体で構成され、一方の長辺の異なる２箇所にはフック状係止片が形成されるとともに他方の長辺の１箇所にネジ挿通孔が形成されており、前記第２シャーシは、中央に開口部を有する略矩形状の枠体で構成され、略コ字状の板状部材でディスク状記録媒体を載置するターンテーブルを保持可能に構成されたターンテーブル保持部材が当該第２シャーシの枠体に沿って固定され、前記第２シャーシに、傾斜した主面を有する回転体と、この回転体を回転駆動する駆動モータとで構成されて、駆動モータの回転軸と回転体との間に回転伝達手段が配置されたチルト角調整装置が配設され、前記第１シャーシの他方の長辺の他の１箇所に、前記回転体の主面に当接する突起部が形成され、前記ターンテーブル保持部材は、対向する一対の辺の一方の２箇所に前記フック状係止片に係合可能な係合部が形成されるとともに他方の辺の１箇所に前記ネジ挿通孔に挿通された係合ネジと螺合可能なネジ孔が形成されており、前記２箇所の係合部に前記２箇所のフック状係止片が個別に係合され、前記ネジ挿通孔を通して前記ネジ孔に前記係合ネジが螺合されていて、前記回転体の回転により、前記主面に当接している前記突起部と共に前記第１シャーシの他方の長辺が、前記係合部と前記フック状係止片との係合箇所を支点としてディスク側に寄るように形成されていて、前記第１シャーシの他方の長辺の最もディスク側に寄る位置が前記係合ネジのネジ頭により規制されて前記第１シャーシの傾きが調節されるように構成されている。
【００１４】
すなわち、従来は第１シャーシの対向する一対の長辺にフック状係止片がそれぞれ形成され、このフック状係止片を第２シャーシに形成された係合部にはめ込むことで両者を対向配置していたのを、第１シャーシの一方の長辺に形成されるフック状係止片はそのままにして、他方の長辺にはネジ挿通孔を形成し、片側をフック状係止片の代わりにネジにより係合するようにした。なお、第１シャーシに設けられるフック状係止片及びネジ挿通孔の数は特に制限されないが、例えば、フック状係止片を２つ、ネジ挿通孔を１つ設けるようにし、３点で第１シャーシと第２シャーシを支持するようにするとよい。
【００１５】
また、略コ字状の板状部材で、ディスク状記録媒体を載置するターンテーブルを保持可能に構成され、前記第２シャーシの枠体に沿って固定されるターンテーブル保持部材を備え、前記係合部及び前記ネジ孔は、前記ターンテーブル保持部材に形成されているようにした。すなわち、ターンテーブル保持部（スピンドルモータ保持部）と、フック状係止片との係合部と、係合ネジと螺合可能なネジ孔と、を樹脂成形により一体的に形成したターンテーブル保持部材を、第２シャーシとは別個に設けるようにした。これにより、ターンテーブル保持部材を第２シャーシに例えばネジ止めにより固定するだけで、ターンテーブル保持部と、フック状係止片との係合部と、係合ネジと螺合可能なネジ孔と、を第２シャーシに比較的簡単に設けることができる。
【発明の効果】
【００１６】
本発明によれば、光ディスクドライブ装置において、中央に開口部を有する略矩形状の枠体で構成される第１シャーシ（上側シャーシ）の一方の長辺にフック状係止片を形成するとともに他方の長辺にネジ挿通孔を形成し、中央に開口部を有する略矩形状の枠体で構成される第２シャーシ（下側シャーシ）の一方の長辺には前記フック状係止片と係合可能な係合部を形成するとともに他方の長辺に前記ネジ挿通孔に挿通された係合ネジと螺合可能なネジ孔を形成し、前記係合部に前記フック状係止片を係合させ、前記ネジ挿通孔を通して前記ネジ孔に所定長の係合ネジを螺合させることで、係合ネジのネジ頭により、前記第１シャーシのチルト調整される側の辺である他方の長辺の最もディスク側に寄る位置を制限しているので、第１シャーシと第２シャーシの組み立て工程の作業性を格段に向上することができる。
【００１７】
また、従来は樹脂製のフック状係止片だけで第１シャーシと第２シャーシとを係合していたが、一部を金属製の係合ネジにより係合することとなるので、落下等の衝撃に対する耐性を向上することができる。
【発明を実施するための最良の形態】
【００１８】
以下、本発明の好適な実施の形態を図面に基づいて説明する。
【００１９】
図１は本実施形態に係る光ディスクドライブ装置の分解斜視図で、図２は上側シャーシ１０の平面図（図１において下から見た図）で、図３は下側シャーシ２０の平面図で、図４はターンテーブル保持部材３０の平面図である。なお、図６に示す従来の光ディスクドライブ装置と同一の部位・部材については同一の符号を用いている。
【００２０】
本実施形態に係る光ディスクドライブ装置は、光ピックアップ４０が組み付けられた上側シャーシ１０と、ターンテーブル保持部材３０を介してスピンドルモータ５０が固定された下側シャーシ２０と、が対向配置されて構成される。
【００２１】
具体的には、上側シャーシ１０は、中央に開口部１４を有する金属製の板状部材からなり、種々の構成部品を組み付けるための複数の穴が所定の位置に設けられている。この上側シャーシ１０には、開口部１４の周縁四隅に、２本のガイドシャフト４３，４４を平行に支持するための支持部１５、１６が形成されている。また、上側シャーシ１０の支持部１５を形成されている側の長辺の１箇所にはネジ挿通孔１７が形成され、他方の長辺の２箇所には該長辺をほぼ３分割する位置にフック状係止片１２，１３が形成されている。これらの支持部１５，１６及び係止片１２，１３は、金属製の上側シャーシ１０の所定の位置に樹脂を付着固定させて一体的に成形される（アウトサート成形）。さらに、上側シャーシ１０のフック状係止片１２，１３が形成された長辺の下面には、光ピックアップ４０を光ディスクの径方向に移動させるための光ピックアップ駆動装置７０が配設されている。
【００２２】
光ピックアップ４０は、その両端に２本のガイドシャフト４３，４４を挿通され、このガイドシャフト４３，４４の両端が上側シャーシ１０に形成された支持部１５，１６にネジによって固定されている。また、光ピックアップ４０の一端には、駆動軸７２に螺旋状に形成された溝と係合する突起部を有する係合部材４１が組み付けられており、この係合部材４１はバネ４２により駆動軸７２側に付勢されている。このような構成により、光ピックアップ駆動装置７０の駆動モータ７１を回転させると、光ピックアップ４０は光ディスクの径方向にガイドシャフト４３，４４に沿って摺動することとなる。
【００２３】
下側シャーシ２０は、中央に開口部２２を有する金属製の板状部材からなり、プレス加工によってその一部が折り返され、四隅には光ディスクドライブ装置の筐体（図示略）に固定される組み付け部２１が形成されている。また、種々の構成部品を組み付けるための複数の穴が所定の位置に設けられている。特に、上側シャーシ１０のネジ挿通孔１７に対応する位置にはネジ孔２３が設けられている。さらに、下側シャーシ２０の所定の位置にチルト角調整装置６０が配設される。
【００２４】
チルト角調整装置６０は、傾斜した主面６１ａを有する回転体６１と、回転体６１を回転駆動する駆動モータ６３と、で構成され、駆動モータ６３の回転軸６３ａと回転体６１との間には回転伝達手段として中継ギヤ６２が配置されている。回転体の主面６１ａには上側シャーシ１０の下面に形成された突起部１８が当接されており、駆動モータ６３を駆動することによって回転体６１を回転させることで、上側シャーシ１０の傾きを調節することができる。
【００２５】
ターンテーブル保持部材３０は、樹脂製で略コ字状の板状部材からなり、光ディスクを載置するターンテーブル（図示略）を駆動するスピンドルモータ５０を保持するスピンドルモータ保持部（ターンテーブル保持部）３５を備える。ターンテーブル保持部材３０の上側シャーシ１０に形成されたフック状係止片１２，１３と対応する位置には、フック状係止片１２，１３と係合可能なゲート状係合部３２，３３が形成されている。また、上側シャーシ１０のネジ挿通孔１７に対応する位置にはネジ孔３４が設けられている。このターンテーブル保持部材３０は、例えば５箇所（ネジ孔３４を含む）で上方よりネジを通して下側シャーシ２０に固定される。そして、スピンドルモータ５０は、下側シャーシ２０に固定されたターンテーブル保持部材３０を介して、下側シャーシ２０の下方よりネジで固定される。
【００２６】
そして、光ピックアップ４０が組み付けられた上側シャーシ１０と、ターンテーブル保持部材３０を介してスピンドルモータ５０が固定された下側シャーシ２０と、が対向配置される。具体的には、上側シャーシ１０に形成された２つのフック状係止片１２，１３をターンテーブル保持部材３０のゲート状係合部３２，３３に係合させた後、係合ネジ８０を上側シャーシ１０のネジ挿通孔１７を介してターンテーブル保持部材３０のネジ孔３４及び下側シャーシ２０のネジ孔２３に螺合させる。
【００２７】
ここで、係合ネジ８０は、図５に示すように、ネジ頭８１とネジ切り部８３の間に無ネジ部８２を有する。また、ゲート状係合部３２，３３にフック状係止片１２，１３が係合され、ネジ挿通孔１７を通してネジ孔３４に螺合された係合ネジ８０のネジ頭８１が、上側シャーシ１０のチルト調整される側の辺である他方の長辺の最もディスク側に寄る位置を制限するようになる。
【００２８】
上述したように、従来は、上側シャーシ１０の対向する一対の長辺に形成されたフック状係止片１１，１２，１３をターンテーブル保持部材３０に形成された係合部３１，３２，３３にはめ込むことで上側シャーシ１０と下側シャーシ２０とを対向配置していたのに対して、本実施形態の光ディスクドライブ装置では、上側シャーシ１０の一方の長辺に形成されるフック状係止片１２，１３はそのままにして、他方の長辺にネジ挿通孔１７を形成し、片側をフック状係止片１１の代わりに係合ネジ８０のネジ頭８１に係合させて両者を対向配置するようにしている。
【００２９】
これにより、上側シャーシ１０と下側シャーシ２０の組み立て工程の作業性を格段に向上することができる。また、従来は樹脂製のフック状係止片１１だけで係合していたのを金属製の係合ネジ８０により係合するようにしたので、落下等の衝撃に対する耐性を向上することができる。
【００３０】
以上、本発明者によってなされた発明を実施形態に基づいて具体的に説明したが、本発明は上記実施形態に限定されるものではなく、その要旨を逸脱しない範囲で変更可能である。
【図面の簡単な説明】
【００３１】
【図１】本実施形態に係る光ディスクドライブ装置の分解斜視図である。
【図２】上側シャーシ１０の平面図（図１において下から見た図）である。
【図３】下側シャーシ２０の平面図である。
【図４】ターンテーブル保持部材３０の平面図である。
【図５】ネジ８０の側面図である。
【図６】従来の光ディスクドライブ装置の分解斜視図である。
【符号の説明】
【００３２】
１０  上側シャーシ（第１シャーシ）
１２，１３  フック状係止片
１７  ネジ挿通孔
２０  下側シャーシ（第２シャーシ）
２３  ネジ孔
３０  ターンテーブル保持部材
３２，３３  ゲート状係合部
３４  ネジ孔
４０  光ピックアップ
５０  スピンドルモータ
６０  チルト角調整装置
７０  光ピックアップ駆動装置
８０  係合ネジ
【図１】
0004433944.tif 000002
【図２】
0004433944.tif 000003
【図３】
0004433944.tif 000004
【図４】
0004433944.tif 000005
【図５】
0004433944.tif 000006
【図６】
0004433944.tif 000007